(57)【要約】【課題】  帽子本来の働きに加えて、積極的に防暑・防寒可能である帽子を提供すること。【解決手段】  頭覆い部２内面に熱伝達性部材からなる収納部５を形成し、この収納部５の開閉可能な開口部６から収納部５内に保冷部材８または発熱部材９を出し入れ可能に収納してある。【選択図】  図１
0003112744.tif 000002
【実用新案登録請求の範囲】
【請求項１】
頭覆い部内面に熱伝達性部材からなる収納部を形成し、この収納部の開閉可能な開口部から収納部内に保冷部材または発熱部材を出し入れ可能に収納してあることを特徴とする帽子。
【請求項２】
収納部を、頭覆い部内面に複数に分割形成してあることを特徴とする請求項１記載の帽子。
【請求項３】
収納部を、内面側の内側収納部と外面側の外側収納部からなる内外二重状に形成すると共に、この内外の収納部間の境界生地を熱伝達性が低い部材で形成し、外側収納部の表生地を熱伝達性が高い部材で形成してあることを特徴とする請求項１または２記載の帽子。
【考案の詳細な説明】
【技術分野】
【０００１】
本考案は、頭にかぶって寒暑・ほこりを防ぎ、身なりを整えるものとして幼児から成人まで広く使用されている帽子、職業，団体等をあらわす制帽、安全・保護のためのヘルメット等の安全帽等を含む各種の帽子に関する。
【背景技術】
【０００２】
たとえば、特許文献１に記載されている帽子用日除けカバーがある。このカバーの構成は、山部と庇とからなり、山部の後部中央下端部に切欠部とその切欠部の調節ベルトとを備える帽子に垂下し装着される帽子用日除けカバーであって、遮光性及び通気性を有するシート材からなり、前記調節ベルトに着脱自在である固定具を前記帽子用日除けカバー裏面の中央部上方に設け、該カバーの上部の両端部を連結し前記庇の外縁部を保持する保持具を具えたゴム紐を設け、前記帽子の後部を外側から覆って装着し得るようにしてあるものである。
そして、帽子に装着して着用者の首筋後部から側面部にかけて覆い日焼け防止及び防暑効果を向上し、しかも簡単に帽子への着脱が可能であることが記載されている。
斯様に、従来のものでは、頭や首筋を覆うことで日差し等から保護しようとしているものである。
【特許文献１】特開２００５−０６８５８５号公報
【考案の開示】
【考案が解決しようとする課題】
【０００３】
解決しようとする課題は、第１には、帽子本来の働きに加えて、頭部を積極的に防暑・防寒可能である帽子を、第２には、さらに、防暑・防寒部位を選択可能である帽子を、第３には、さらに、防暑・防寒温度を選択可能である帽子を提供することにある。
【課題を解決するための手段】
【０００４】
本考案では前記した課題を達成するため、以下の構成にしたことを特徴とする。
１．頭覆い部内面に熱伝達性部材からなる収納部を形成し、この収納部の開閉可能な開口部から収納部内に保冷部材または発熱部材を出し入れ可能に収納してあることを特徴とする。
２．前記した１において、収納部を、頭覆い部内面に複数に分割形成してあることを特徴とする。
３．前記した１または２において、収納部を、内面側の内側収納部と外面側の外側収納部からなる内外二重状に形成すると共に、この内外の収納部間の境界生地を熱伝達性が低い部材で形成し、外側収納部の表生地を熱伝達性が高い部材で形成してあることを特徴とする。
【０００５】
本考案における帽子のデザインは制限がなく、材料はフェルト，ウール，木綿，革，毛皮，パナマ，麦わら，毛糸，ＦＲＰ（強化プラスチック）等の公知のもの全てが含まれ制限がない。
収納部は、頭覆い部内面の全面に形成してもよいし、頭頂部分，額部分および／または前頭部分，後頭部分，側頭部分のようにブロック状に分割形成してもよい。また、頭頂部分，額部分および／または前頭部分，後頭部分，側頭部分のいずれかに局部的に形成してもよいし、各部分を適宜組み合わせるように形成してもよい。かかる収納部の開口部は、一般的にマジックテープ（登録商標）として知られているベルベットファスナー等の止着部材で閉口可能にしてあるのが望ましい。
熱伝達性部材としては、フェルト，ウール，木綿等の通気性を有する天然繊維あるいは合成繊維、その他の公知のものが挙げられる。
保冷部材としては、融解潜熱の大きな水を主原料とし、吸水性樹脂を適宜配合した保冷剤を可撓性の熱可塑性樹脂製袋体に内封したもの等が挙げられ、繰り返し冷凍して反復使用可能な一般的なものでよい。
発熱部材としては、磁性粉を含有した発熱剤を通気性のある扁平状の袋体内に収納したカイロ本体を、非通気性シートよりなる包装シートの外装袋の中に気密状に封入し、使用時に外装袋を破ってカイロ本体を取り出したときに、空気中の酸素が袋体を通過して磁性粉と反応し、発熱剤が発熱するようにした一般的な使い捨てカイロ等の公知の発熱部材が挙げられる。
【考案の効果】
【０００６】
Ａ．請求項１により、頭部を覆うことで寒暑・ほこりを防ぎ、身なりを整えるという帽子本来の働きに加えて、収納部に収納する保冷部材あるいは発熱部材によって頭部を積極的に防暑・防寒することができ、幼児から成人向けの一般的使用の帽子、職業，団体等向けの制帽、安全・保護のための安全帽等を含む各種の帽子として有用である。
Ｂ．請求項２により、さらに、頭頂部分，額部分および／または前頭部分，後頭部分，側頭部分のように分割された適宜の収納部に保冷部材あるいは発熱部材を出し入れすることで防暑・防寒部位を選択することができる。
Ｃ．請求項３により、さらに、保冷部材あるいは発熱部材を収納するのに内側収納部と外側収納部を使い分けることができるので、たとえば内側収納部であれば長時間着用しても低温やけどや凍傷等の心配がないし、外側収納部であれば早急に効率よく防暑・防寒することができる。
【考案を実施するための最良の形態】
【０００７】
図１および図２には本考案の帽子における実施の１形態として野球帽を例示しており、帽子本体１は、織物地製の頭覆い部２の前縁に鍔部３を有している。
頭覆い部２内周面には熱伝達性部材としての通気性がある織物地製返し部４で収納部５を環状に形成してある。返し部４は、額および前頭部側返し部４ａと左右の側頭部側返し部４ｂと後頭部側返し部４ｃとに分割形成してあり、それぞれ頭覆い部２端縁を支点として開いたり閉じたり可能な各返し部４ａ，４ｂ，４ｃ先端と対向位置の頭覆い部２内面部分には一対のベルベットファスナー７を設けることで、収納部５の開口部６を開閉し得るように形成してある。
この収納部５には開閉可能な開口部６から収納部５内に保冷部材８または発熱部材９を出し入れ可能に収納してある。
保冷部材８および発熱部材９は、収納部５に各返し部４ａ，４ｂ，４ｃを開閉することで開口部６から出し入れ可能な形および大きさの環状に形成してあり、冷熱あるいは温熱を通気性がある織物地製返し部４に通して頭部を冷やしたり暖めたりし得るようにしてある。
【０００８】
図３には本考案の帽子における実施の１形態として他の野球帽を例示しており、構成は前記した図１の態様のものと基本的に同一であるため、共通している構成の説明は符合を準用して省略し、相違する構成について説明する。
収納部５は、額および前頭部側収納部５ａと左右の側頭部側収納部５ｂと後頭部側収納部５ｃとに分割形成してあり、額および前頭部側返し部４ａと左右の側頭部側返し部４ｂと後頭部側返し部４ｃを開閉することで、各収納部５ａ，５ｂ，５ｃに略１／４円状の保冷部材１０または発熱部材１１をそれぞれ取り出し可能に収納してある。また、適宜の収納部５ａ，５ｂ，５ｃに保冷部材１０または発熱部材１１を収納するようにしてもよい。
【０００９】
図４および図５には本考案の帽子における実施の１形態として子供用帽子を例示しており、構成は前記した図１の態様のものと基本的に同一であるため、共通している構成の説明は符合を準用して省略し、相違する構成について説明する。
頭覆い部２内面の頭頂部分に収納部５を形成してある。この収納部５の開口部６は上下の開口縁部６ａ，６ｂによる重ね構造にしてあり、上下の開口縁部６ａ，６ｂ間から円盤状の保冷部材１２または発熱部材１３を収納部５内に取り出し可能に収納してある。
【００１０】
図６および図７には本考案の帽子における実施の１形態として他の野球帽を例示しており、構成は前記した図３の態様のものと基本的に同一であるため、共通している構成の説明は符合を準用して省略し、相違する構成について説明する。
収納部５は、額および前頭部側収納部５ａを内面側の内側収納部５ａ１と外面側の外側収納部５ａ２からなる内外二重状のダブルポケット状に形成すると共に、後頭部側収納部５ｃを内面側の内側収納部５ｃ１と外面側の外側収納部５ｃ２からなる内外二重状のダブルポケット状に形成してある。
そして、内外の収納部５ａ１，５ａ２間および収納部５ｃ１，５ｃ２間の境界生地を熱伝達性が低い通気性のフェルト部材１４でそれぞれ形成し、外側収納部５ａ２，５ｃ２の表生地を熱伝達性が高い通気性の布地部材１５でそれぞれ形成してある。
かくした内側収納部５ａ１，５ｃ１に保冷部材１０または発熱部材１１を収納する（図６参照）。あるいは、外側収納部５ａ２，５ｃ２に保冷部材１０または発熱部材１１を収納する（図７参照）。この内外の収納部５ａ１，５ａ２，５ｃ１，５ｃ２に対する保冷部材１０または発熱部材１１の入れ替えは、ベルベットファスナー７を開閉操作することで開口部６から出し入れして行ない、頭部を早急に冷やしたり温めたり或いはゆっくり冷やしたり温めたり使い分けられるように形成してある。
【図面の簡単な説明】
【００１１】
【図１】本考案の帽子における実施の１形態として、野球帽を例示している端面図。
【図２】底面図。
【図３】本考案の帽子における実施の１形態として、他の野球帽を例示している底面図。
【図４】本考案の帽子における実施の１形態として、子供用帽子を例示している端面図。
【図５】底面図。
【図６】本考案の帽子における実施の１形態として、他の野球帽を例示している端面図で内側収納部に保冷部材または発熱部材を収納した状態である。
【図７】外側収納部に保冷部材または発熱部材を収納した状態の端面図。
【符号の説明】
【００１２】
１  帽子本体
２  頭覆い部
３  鍔部
４  返し部
４ａ  額および前頭部側返し部
４ｂ  側頭部側返し部
４ｃ  後頭部側返し部
５  収納部
５ａ  額および前頭部側収納部
５ｂ  側頭部側収納部
５ｃ  後頭部側収納部
５ａ１，５ｃ１  内側収納部
５ａ２，５ｃ２  外側収納部
６  開口部
６ａ，６ｂ  開口縁部
７  ベルベットファスナー
８，１０，１２  保冷部材
９，１１，１３  発熱部材
１４  フェルト部材
１５  布地部材
【図１】
0003112744.tif 000003
【図２】
0003112744.tif 000004
【図３】
0003112744.tif 000005
【図４】
0003112744.tif 000006
【図５】
0003112744.tif 000007
【図６】
0003112744.tif 000008
【図７】
0003112744.tif 000009